(57)【要約】【課題】打ち抜いたシートによる怪我を確実に防止できるシート打抜刃を提供する。【解決手段】刃板の一側縁に刃先を両側へ交互に偏心させることにより長手方向に０．５ｍｍ〜５ｍｍのピッチＰにて波状に連なる刃先を形成するとともに、幅０．２ｍｍ〜２ｍｍ、深さ０．５ｍｍ〜２ｍｍのスリットを該波状刃先の両曲頂部にピッチＱ＝（自然数＋０．５）Ｐにて形成し、打ち抜かれるシートにピッチＱにて非切断部が形成されるようにした。【選択図】図１
2014208382.tif 000002
【特許請求の範囲】
【請求項１】
鋼板からなる帯板状の刃板の一側縁に刃先を両側へ交互に偏心させることにより長手方向に０．５ｍｍ〜５ｍｍのピッチＰにて波状に連なる刃先を形成するとともに、幅０．２ｍｍ〜２ｍｍ、深さ０．５ｍｍ〜２ｍｍのスリットを該波状刃先の両曲頂部に下記ピッチＱにて形成し、打ち抜かれるシートにピッチＱにて非切断部が形成されるようにしたことを特徴とするシート打抜刃。
Ｑ＝（Ｎ＋０．５）Ｐ      ただし、Ｎは自然数。
【請求項２】
打ち抜かれるシートの製品側となるスリットの幅をクズ側となるスリットの幅よりも広くしたことを特徴とする請求項１に記載したシート打抜刃。
【発明の詳細な説明】
【技術分野】
【０００１】
本発明は、段ボール紙、板紙等のシートを打ち抜くダイカッタの抜型（トムソン型とも称される）に設定されるシート打抜刃に関するものである。
【背景技術】
【０００２】
一般に、打抜刃によって打ち抜かれた段ボール紙、板紙、プラスチックシート等のシートは、その切断縁が鋭利になるために取扱者が手指や掌を切ってしまうことが多々ある。
このような手切れを防止するために、下記特許文献１に示された打抜刃では、刃先を一定ピッチにて刃板両側面方向に波打つ波状に形成し、シートに波状の切断縁が形成されるようにしている。また、下記特許文献２、３には、全切刃と半切刃とが形成された打抜刃によりシートを打ち抜くことにより、シートに半切線が形成されるようにしている。
【先行技術文献】
【特許文献】
【０００３】
【特許文献１】特許第４７５９１００号公報
【特許文献２】特開２０１０−５２０４９号公報
【特許文献３】特開２００５−１１８９００号公報
【発明の概要】
【発明が解決しようとする課題】
【０００４】
しかしながら、特許文献１に示されたようにシートの切断縁が波状であるだけでは、手切れを防止する効果は十分でなく、特に再生紙等、強度を出すための処理が行なわれたようなシートでは、依然として手を怪我するおそれがあった。また、特許文献２、３に示されたように半切部を形成することによっては、半切部の幅や間隔の設定が難しく、その設定如何により手切れ防止効果が十分に得られなかったり、切断縁の形状があまくなるおそれがあった。
【課題を解決するための手段】
【０００５】
本発明に係るシート打抜刃は、上記課題を解決しようとするもので、鋼板からなる帯板状の刃板の一側縁に刃先を両側へ交互に偏心させることにより長手方向に０．５ｍｍ〜５ｍｍのピッチＰにて波状に連なる刃先を形成するとともに、幅０．２ｍｍ〜２ｍｍ、深さ０．５ｍｍ〜２ｍｍのスリットを該波状刃先の両曲頂部に下記ピッチＱにて形成し、打ち抜かれるシートにピッチＱにて非切断部が形成されるようにしたことを特徴とする。
Ｑ＝（Ｎ＋０．５）Ｐ          ただし、Ｎは自然数
また、本発明は上記シート打抜刃であって、打ち抜かれるシートの製品側となるスリットの幅をクズ側となるスリットの幅よりも広くしたことを特徴とする。
【発明の効果】
【０００６】
本発明に係るシート打抜刃によれば、打ち抜いたシートによる怪我をより確実に防止できる。
【図面の簡単な説明】
【０００７】
【図１】本発明に係るシート打抜刃の斜視図。
【図２】本発明に係るシート打抜刃の平面図。
【図３】本発明に係るシート打抜刃のスリットの拡大正面図。
【図４】本発明に係るシート打抜刃の平面図。
【図５】本発明に係るシート打抜刃のスリットの拡大正面図。
【図６】本発明に係るシート打抜刃のスリットの拡大正面図。
【発明を実施するための形態】
【０００８】
図１、図２に示したシート打抜刃は、厚さｔが０．５ｍｍ〜１．２ｍｍの鋼板からなる帯板状の刃板１の一側縁に先鋭な刃先２を形成し、該刃先２を該刃板１の両側へ交互に偏心させることにより、該刃先２を長手方向に０．５ｍｍ〜５ｍｍのピッチＰにて波状に連なる形態に形成してなる。そして、図３に拡大して示したように、幅ｗが０．２ｍｍ〜２ｍｍ、深さｄが０．５ｍｍ〜２ｍｍのスリット３ａ，３ｂを該刃先２の両曲頂部（即ち、波の山頂と谷底との両頂部）に下記ピッチＱにて形成する。
Ｑ＝（Ｎ＋０．５）Ｐ
なお、この式で、Ｎは自然数（即ち、１、２、３、４、……であって、０は含まない。）である。
【０００９】
例えば、この式にＮ＝１を代入すると、Ｑ＝１．５Ｐとなり、刃先２の波ピッチＰの１．５倍にてスリット３ａ，３ｂを形成することとなる。図１、図２に示した実施形態は、このようにスリット３ａ，３ｂを１．５Ｐのピッチにて該刃先２の両曲頂部に形成したものである。
【００１０】
なお、上記スリット３ａ，３ｂの幅ｗについては、スリット３ｂの幅ｗの方がスリット３ａの幅ｗよりも僅かながら（１０％前後）広くしてあり、このシート打抜刃によってシートを打ち抜く場合に、幅ｗが広いスリット３ｂが製品側となり、幅ｗが狭いスリット３ａがクズ側となるように抜型に設定される。
【００１１】
一方、図４に示したシート打抜刃は、Ｎ＝２とすることでピッチＱ＝２．５Ｐにて刃先２の両曲頂部にスリット３ａ，３ｂを形成したものである。
このように、上記式に従いスリット３ａ，３ｂを形成するピッチＱを決定することにより、スリット３ａ，３ｂは波ピッチＰより広い間隔にて刃板１の両側に交互に形成されることとなる。
【００１２】
このようにスリット３ａ，３ｂを形成したシート打抜刃は、抜型に設定されシートを打ち抜いたときに、該シートにピッチＰの波状に切り込みが入るとともにピッチＱにて非切断部（切り残し）が形成される。このため該シートの製品部とクズ部とが該非切断部にて適度に繋がったままとなり、次の工程で該シートの製品部或いはクズ部に外力を加えることで製品或いはクズが抜き落とされ分離される。このとき該非切断部が強制的に引き千切られることから、製品の波状縁およびクズの波状縁に布毛状の毛羽立ちが上記ピッチＱにて該波状縁の凹所と凸所に交互に形成されることとなる。
【００１３】
このように製品やクズの波状縁に毛羽立ちが該波状縁の凹所と凸所に交互に形成されることで、手指や掌の肌に当たる感触が柔らかくなり、怪我が防止される。また、製品側となるスリット３ｂの幅ｗをクズ側となるスリット３ａの幅ｗよりも広くすることにより、製品の波状縁の凹所に凸所よりも太い毛羽立ちが形成されることとなる。このため、製品の波状縁に触れた手の肌が該波状縁に沿って移動した際にも該凹所内にある柔らかい毛羽立ちが該肌に触れ、肌が切れるのを確実に防止することができる。
【００１４】
また、このシート打抜刃は、刃先２が波状であってその両曲頂部、即ち、山頂と谷底とに交互にスリット３ａ，３ｂが形成されているので、該シート打抜刃を抜型に設定した際に両側に均等にスリット３ａ，３ｂが位置しバランスが保たれる。このため、切断時に掛かる強い力によっても該シート打抜刃が片側に傾くようなことがなく、安定的に支持され、抜型の耐久性が維持される。
【００１５】
なお、スリット３ａ，３ｂの形状は、図３に示した方形状に限らず、図５に示したような逆台形状としてもよく、或いは図６に示したようなＶ字状としてもよい。また、該スリット３ａ，３ｂの幅や深さは、打ち抜くシートの厚さや材質に応じて適宜選択される。
【符号の説明】
【００１６】
１            刃板
２            刃先
３ａ，３ｂ    スリット
【図１】
2014208382.tif 000003
【図２】
2014208382.tif 000004
【図３】
2014208382.tif 000005
【図４】
2014208382.tif 000006
【図５】
2014208382.tif 000007
【図６】
2014208382.tif 000008